(57)【要約】【課題】  フレーム構造体によって形成されるワーキングスペース内の広さを容易に調整することのできる仕切り構造を提供すること。【解決手段】  支柱１１の上部間に横架材１２を配置してそれらの内側に所定のワーキングスペースＳ１〜Ｓ３を形成することのできるフレーム構造体１０を備える。相互に略平行に配置された横架材１２，１２間には、各ワーキングスペースを分割することのできる仕切り部材Ｐが支持されている。この仕切り部材Ｐは、横架材１２の延出方向と直交する方向に沿う面を備えており、仕切り部材Ｐの上部に設けられたスライダ３２を横架材に沿って移動させることで、ワーキングスペースの広さを調整することができる。【選択図】          図１
2005171655.tif 000002
【特許請求の範囲】
【請求項１】
床面に起立する複数の支柱と、これら支柱の上部間に位置するとともに相互に略平行に配置されて各支柱を相互に連結する複数の横架材とを含むフレーム構造体と、前記横架材間に支持された仕切り部材とを備え、
前記横架材は、その延出方向に沿って配線領域を備えている一方、前記仕切り部材は、前記配線領域と干渉しない位置で横架材の延出方向に沿って移動可能に設けられて前記フレーム構造体の内側ワーキングスペースを調整可能としたことを特徴とするフレーム構造体の仕切り構造。
【請求項２】
前記横架材は、略水平方向に沿って長手方向に延びる平面部と、この平面部の幅方向両側に設けられた一対の側面部とを備え、前記平面部が側面部の上下方向に沿う任意の位置に位置して上部空間と下部空間とに区分された形状をなし、何れか一方の空間に前記仕切り部材の上部に設けられたスライダを受容する一方、何れか他方の空間に配線が収容可能に設けられていることを特徴とする請求項１記載のフレーム構造体の仕切り構造。
【請求項３】
前記横架材は、略水平方向に沿って長手方向に延びる平面部と、この平面部の幅方向両側に設けられた一対の側面部とを備え、前記平面部が側面部の上下方向に沿う任意の位置に位置して上部空間と下部空間とに区分された形状をなし、上部空間に前記仕切り部材の上部に設けられたスライダを受容する一方、下部空間に配線が収容可能に設けられていることを特徴とする請求項１記載のフレーム構造体の仕切り構造。
【請求項４】
前記上部空間は、前記スライダのガイドレールを前記側面部の内側に備えていることを特徴とする請求項３記載のフレーム構造体の仕切り構造。
【請求項５】
前記下部空間には、横架材の延出方向に沿う所定位置に配線支持部材が着脱自在に設けられ、当該配線支持部材は、横架材の延出方向に沿って移動可能に設けられていることを特徴とする請求項３又は４記載のフレーム構造体の仕切り構造。
【請求項６】
前記上部空間には、前記スライダの移動範囲を記載するストッパが設けられていることを特徴とする請求項３，４又は５記載のフレーム構造体の仕切り構造。
【発明の詳細な説明】
【技術分野】
【０００１】
本発明はフレーム構造体に係り、更に詳しくは、オフィス内にワーキングスペース形成用のフレーム構造体を配置したときの前記ワーキングスペースの広さを必要に応じて調整することに適したフレーム構造体の仕切り構造に関する。
【背景技術】
【０００２】
近時、オフィスでは、床面に起立する複数の支柱の上端部を横架材により相互に連結し、オフィス内の特定領域を個人或いはグループのワーキングスペースとして利用することのできるフレーム構造体が提案されている（例えば、特許文献１参照）。
【０００３】
前記特許文献１に記載されたフレーム構造体は、床面に起立する複数の支柱と、これら支柱の上端部を相互に連結するように配置された横架材とを含むスケルトン構造を基本として構成されている。このフレーム構造体は、感覚的に仕切られた状態を認識させて複数のワーキングスペースを形成することとなり、それぞれのスペース内で、個人若しくはグループ単位での作業、ミーティング等を行うことができる。
【０００４】
【特許文献１】特開２００２−２９５４２３号公報
【発明の開示】
【発明が解決しようとする課題】
【０００５】
前述したフレーム構造体は、支柱や横架材を利用して間仕切り等の仕切り部材をオプションとして配置することができるが、この場合の仕切り部材は、その面が横架材の延出方向と一致する状態で当該横架材に支持される構成であり、一つのワーキングスペースにおいて広さを調整することが不可能な構成となっている。そのため、利用目的若しくは規模に応じてワーキングスペースの広さを変更しようとしても、これに対応することができない、という不都合がある。
【０００６】
［発明の目的］
本発明は、このような不都合に着目して案出されてものであり、その目的は、ワーキングスペース内の広さを極めて容易に調整可能とすることのできるフレーム構造体の仕切り構造を提供することにある。
【０００７】
また、本発明の他の目的は仕切り部材を移動可能な構成としても、これに干渉することなく横架材を利用した配線が可能となるフレーム構造体の仕切り構造を提供することにある。
【課題を解決するための手段】
【０００８】
そこで、本発明は、床面に起立する複数の支柱と、これら支柱の上部間に位置するとともに相互に略平行に配置されて各支柱を相互に連結する複数の横架材とを含むフレーム構造体と、前記横架材間に支持された仕切り部材とを備え、
前記横架材は、その延出方向に沿って配線領域を備えている一方、前記仕切り部材は、前記配線領域と干渉しない位置で横架材の延出方向に沿って移動可能に設けられて前記フレーム構造体の内側ワーキングスペースを調整可能とし、これにより、前述した目的を達成しようとしたものである。
【０００９】
本発明において、前記横架材は、略水平方向に沿って長手方向に延びる平面部と、この平面部の幅方向両側に設けられた一対の側面部とを備え、前記平面部が側面部の上下方向に沿う任意の位置に位置して上部空間と下部空間とに区分された形状をなし、何れか一方の空間に前記仕切り部材の上部に設けられたスライダを受容する一方、何れか他方の空間に配線が収容可能に設けられる、という構成を採ることができる。
【００１０】
また、前記横架材は、略水平面に沿って長手方向に延びる平面部と、この平面部の幅方向両側に設けられた一対の側面部とを備え、前記平面部が側面部の上下方向に沿う任意の位置に位置して上部空間と下部空間とに区分された形状をなし、上部空間に前記仕切り部材の上部に設けられたスライダを受容する一方、下部空間に配線が収容可能に設けられる、という構成を採ることが好ましい。
【００１１】
更に、前記上部空間は、前記スライダのガイドレールを前記側面部の内側に備える、という構成を採ることができる。
【００１２】
更に、前記下部空間には、横架材の延出方向に沿う所定位置に配線支持部材が着脱自在に設けられ、当該配線支持部材は、横架材の延出方向に沿って移動可能に設けられる、という構成を採用するとよい。
【００１３】
前記上部空間には、前記スライダの移動範囲を規制するストッパを設けることが好ましい。
【発明の効果】
【００１４】
本発明によれば、相互に略平行に配置された横架材に跨る状態で仕切り部材が移動可能に支持されるため、仕切り部材は、その面に対して直交する方向への移動が可能となる。従って、仕切り部材を横架材の延出方向に沿って移動させることで、フレーム構造体によって形成される内側の一つのワーキングスペースを分割したり、分割されたそれぞれの領域広さを容易、且つ、迅速に調整することができる。また、横架材に設けられた配線領域は、仕切り部材の移動時に干渉することのない位置に設けられているため、仕切り部材を移動させたときに、配線が絡まってしまうような不都合も生じない。
【００１５】
更に、横架材の平面部に対して上下に空間を設けることで仕切り部材のスライダ移動受容領域と配線領域とに区分した構成により、横架材の幅寸法を大型化することなくスライダと配線との干渉を生じさせない構成とすることが可能となる。特に、上部空間をスライダ移動領域として利用する一方、下部空間を配線領域として構成すれば、仕切り部材の支持安定性を良好に確保できるとともに、配線の引き回しや、その変更を行う際の作業の容易化と、負担軽減とを図ることが可能となる。
【００１６】
また、横架材における側面部の内側にスライダを案内するためのガイドレールを設けた構成によれば、当該ガイドレールの外側面と側面部との間に生ずる空間を付加的な配線領域として利用することも可能となる。
【００１７】
更に、下部空間に配線支持部材を着脱自在に設ける構成により、配線の垂れ下がり防止を確実に行うことができる。
【００１８】
また、スライダの移動範囲を規制するストッパを設けることで、横架材と支柱との連結部位にスライダの端部が衝突することを回避できる。この際、ストッパに適宜な緩衝部材を設けておくことで、スライダの端部がストッパにぶつかった時の音発生も抑制することが可能となる。
【発明を実施するための最良の形態】
【００１９】
以下、本発明の好ましい実施の形態について図面を参照しながら説明する。
図１には、本実施形態におけるフレーム構造体の概略斜視図が示され、図２には、その概略平面図が示されている。この図において、フレーム構造体１０は、床面上に起立する複数の支柱１１と、これら支柱１１の上部間、本実施形態では上端部間に配置されて支柱１１を相互に連結する横架材１２とを備え、これら支柱１１及び横架材１２とにより、第１ないし第３のワーキングスペースＳ１，Ｓ２，Ｓ３が形成されている。また、フレーム構造体１０において、相互に略平行に配置された一対の横架材１２，１２間には仕切り部材Ｐが移動可能に支持されている。なお、本実施形態では、第１ないし第３のワーキングスペースＳ１，Ｓ２，Ｓ３は、それらの境界に間仕切りパネル等が存在するものではないが、支柱１１及び横架材１２の存在位置により、これらを結ぶ仮想鉛直面に感覚的な仕切り面があるように認識させることができるものである。
【００２０】
前記支柱１１は、図３に示されるように、支柱本体１３と、当該支柱本体１３の上端部に着脱自在に設けられて前記横架材１２の長手方向端部領域と相互に連結される連結部材１４とからなり、支柱本体１３は、アルミニウム等を成形材料とした押出成形品により構成されている。この支柱本体１３は、横断面形状が略方形に設けられているとともに、各コーナーにオプション装着用の縦溝１５を備え、且つ、中央部には、略角柱状の内筒１６を備えて構成されている。また、支柱本体１３の上端には、配線挿入用の穴１８Ａや切欠１８Ｂを備えたスペーサ板１８が載せられるようになっているとともに、このスペーサ板１８上にスペーサ筒１９を介して連結部材１４が装着可能となっている。
【００２１】
前記連結部材１４は、短寸の略円柱形状を有するブロック２０と、このブロック２０の下面側から垂下する脚柱２１と、ブロック２０の外周面から突出する連結アーム２２とにより構成されている。脚柱２１は前記スペーサ板１８の中央部に形成された角穴１８Ｃを通過して前記内筒１６内に挿入される。また、ブロック２０には、その上面から下面に貫通する穴２３が形成されており、当該穴２３内に脱落不能に配置されるボルト２４をスペーサ筒１６を通過してスペーサ板１８のねじ穴１８Ｄにねじ込むことで、連結部材１４を所定の高さ位置にセットできるようになっている。連結アーム２２は上平面２５と、この上平面２５の幅方向両側から垂下する垂下面２６，２６とを備えて下向きコ字状をなす形状に設けられており、上平面２５の二箇所位置に、横架材１２を固定するための穴２５Ａ，２５Ａが形成されている。本実施形態において、連結部材１４は、連結アーム２２の数が二個ないし四個となる複数種のものが採用されている。すなわち、図１から明らかなように、支柱１１が配置される位置に応じて、必要な連結アーム２２の数を備えたものが採用されることとなる。
【００２２】
前記横架材１２は、略水平面内に位置するとともに、長手方向両側が前記連結アーム２２の上平面２５に載る平面部２８と、この平面部２８の幅方向両側に連なる一対の側面部２９，２９とにより構成されている。平面部２８は側面部２９，２９の上下方向に沿う任意の位置に位置させることができる。具体的には、側面部２９，２９の上下方向の略中間部を相互に連結する位置に設けられており、これにより、横架材１２の端部において、その下半分領域内に連結アーム２２が収容可能となる。また、平面部２８の長手方向端部の二箇所には、穴２８Ａ，２８Ａが形成され、上方より挿入されるねじ３０によって横架材１２と連結アーム２２とが連結されるようになっている。
【００２３】
また、横架材１２は、平面部２８により上部空間Ｃ１と下部空間Ｃ２とに区分されており、上部空間Ｃ１に仕切り部材Ｐの上部に設けられたスライダ３２を受容する一方、下部空間Ｃ２に、配線Ｌ（図５参照）が収容可能に設けられている。上部空間Ｃ１において、平面部２８には、スライダ３２を横架材１２の延出方向に沿って案内するためのリブ状のガイドレール３４，３４が側面部２９，２９よりも内側となる位置で上向きに突設され、これにより、ガイドレール３４と側面部２９との間に空間を形成して付加的な配線領域として利用することも可能になっている。また、平面部２８上には、穴２８Ａよりも内側に側面視略Ｌ字状のストッパ３５がねじ３６を介して固定されている。なお、下部空間Ｃ２内に収容される配線Ｌは、支柱１１の前記穴１８Ａや切欠部１８Ｂを通じて支柱１１内に挿入することができる。或いは、床面から引き出した配線を支柱１１の上端から導出させて下部空間Ｃ２に収容させることができる。
【００２４】
前記平面部２８の下方において、側面部２９，２９の相対面には、上下二箇所にリブ３８，３８が突設されており、これらのリブ３８，３８間の溝３９を利用して配線支持部材４０が着脱自在に設けられている。この配線支持部材４０は、平面形状が略瓢箪に近似した形状をなす支持面部４２と、この支持面部４２の中央部に突設された軸部４３とにより構成されている。配線支持部材４０は、支持面部４２の長手方向を横架材１２に沿うような向きとして下部空間Ｃ２内に位置させ、その後に、支持面部４２を平面内で回転させることで前記溝３９，３９間に装着できるようになっている。
【００２５】
前記仕切り部材Ｐは、特に限定されるものではないが、本実施形態では、相対する横架材１２，１２間の寸法に近い幅を備えているとともに、下端が床面に接近する位置となる高さを備えた大きさに設けられている。この仕切り部材Ｐは、図１及び図５に示されるように、略方形をなす本体面５０と、この本体面５０の上端部複数箇所に設けられた連結軸５１と、当該連結軸５１を介して横架材１２，１２間に延びるとともに、両端部に前記スライダ３２を備えた支持桟５３とにより構成されている。スライダ３２は、横架材１２に沿う方向に長い下向きコ字状のスライダ本体５５と、当該スライダ本体５５の下部開放側における長手方向二箇所に軸５６，５６を介して設けられたローラ５７，５７とにより構成されている。ここで、ローラ５７は、前述したガイドレール３４，３４間に収まる状態に設けられている。なお、仕切り部材Ｐにおいて、本体面５０の下端部には、公知のストッパ部材６０が設けられており、当該ストッパ部材６０によって、仕切り部材Ｐの位置が決定されたときに、ストッパ部材６０が床面に摩擦接触して固定的な位置を保つようになっている。
【００２６】
以上の構成において、本実施形態におけるフレーム構造体１０は、図２に示されるように、仕切り部材Ｐが矢印Ａ方向に沿って移動可能となり、これにより、第１及び第２のワーキングスペースＳ１，Ｓ２の各領域内を仕切ることができるとともに、図中左右に分割されたそれぞれのスペースの広さを調整することが可能となる。
また、横架材１２は、下半部領域に設けられた下部空間内Ｃ２に配線Ｌの収容を可能とし、上部空間Ｃ１にスライダ３２を移動可能に支持する構成であるから、配線Ｌとの干渉を生じさせることがなく、常に安定した配線状態を維持することができる。
更に、配線支持部材４０に軸部４３を設けたから、配線Ｌに余長分が生じたときに、当該余長分を軸部４３に絡めて支持させるようにすることができ、横架材１２から配線Ｌが垂れ下がるような不都合は生じない。
【００２７】
本発明を実施するための最良の構成、方法等は、以上の記載で開示されているが、本発明は、これに限定されるものではない。
すなわち、本発明は、主に、特定の実施の形態に関して特に図示し、且つ、説明されているが、本発明の技術的思想及び目的の範囲から逸脱することなく、以上に述べた実施の形態に対し、形状、位置、部品構成等、その他の詳細な構成において、当業者が様々な変更を加えることができるものである。
従って、上記に開示した形状、位置などを限定した記載は、本発明の理解を容易にするために例示的に記載したものであり、本発明を限定するものではないから、それらの形状、位置等の限定の一部若しくは全部の限定を外した部材の名称での記載は、本発明に含まれるものである。
【００２８】
例えば、前記実施形態では、仕切り部材Ｐが第１及び第２のワーキングスペースＳ１，Ｓ２内に位置する構成を図示、説明したが、第３のワーキングスペースＳ３に仕切り部材Ｐを配置してもよい。但し、この場合には、第１及び第３のワーキングスペースＳ１，Ｓ３を構成する横架材１２を相互に共有することになるため、各仕切り部材Ｐの移動領域は制限的なものとなる。
【００２９】
また、前記実施形態では、横架材１２の上部空間Ｃ１にスライダ３２を配置する一方、下部空間Ｃ２に配線Ｌを収容可能としたが、上部空間Ｃ１を配線Ｌの収容空間として利用する一方、下部空間Ｃ２をスライダ３２の支持領域として利用することを妨げない。但し、前記実施形態によれば、スライダ３２を支持する構造が簡略化できる点で有利となる。
【図面の簡単な説明】
【００３０】
【図１】本実施形態に係るフレーム構造体の概略斜視図。
【図２】図１の概略平面図。
【図３】支柱と横架材との連結領域を分解した概略斜視図。
【図４】横架材に仕切り部材が支持された状態を示す要部概略斜視図。
【図５】横架材に仕切り部材が支持された状態を示す縦断面図。
【符号の説明】
【００３１】
１０  フレーム構造体
１１  支柱
１２  横架材
２８  平面部
２９  側面部
３２  スライダ
３４  ガイドレール
４０  配線支持部材
Ｃ１  上部空間
Ｃ２  下部空間
Ｌ  配線
Ｐ  仕切り部材
Ｓ１  第１のワーキングスペース
Ｓ２  第２のワーキングスペース
Ｓ３  第３のワーキングスペース
Ｓ４  第４のワーキングスペース
【図１】
2005171655.tif 000003
【図２】
2005171655.tif 000004
【図３】
2005171655.tif 000005
【図４】
2005171655.tif 000006
【図５】
2005171655.tif 000007